(57)【要約】【課題】  低価格の受信装置を提供する。【解決手段】  このＬＮＢの信号処理回路は、それぞれ水平偏波信号φＨおよび垂直偏波信号φＶを増幅するＬＮＡ１７ａ，１７ｂと、それぞれ９．７５ＧＨｚおよび１０．６ＧＨｚの高周波信号を発生するローカル発振回路２１ａ，２１ｂと、ＬＮＡ１７ａ，１７ｂのうちの活性化されたＬＮＡの出力信号と、ローカル発振回路２１ａ，２１ｂのうちの活性化されたローカル発振回路の出力信号とを混合して中間周波信号を生成するミキサ回路２０ａとを備える。したがって、高価なスイッチングＩＣを使用することなく、所望の映像信号を選択することができる。【選択図】        図４
2005303962.tif 000002
【特許請求の範囲】
【請求項１】
受信した電波から抽出した映像信号を複数のチューナに与える受信装置であって、
各チューナに対応して設けられ、対応のチューナに接続される信号入出力端子、
各チューナに対応して設けられ、前記電波に含まれる複数の偏波信号をそれぞれ増幅する複数の増幅回路、
各チューナに対応して設けられ、高周波信号を発生するローカル発振回路、
各チューナに対応して設けられ、対応のチューナから対応の信号入出力端子を介して与えられる選択信号に従って、対応の複数の増幅回路のうちのいずれか１つの増幅回路を活性化させる制御回路、および
各チューナに対応して設けられ、対応の制御回路によって活性化された増幅回路によって増幅された偏波信号と、対応のローカル発振回路で発生された高周波信号とを混合して中間周波信号を生成し、その中間周波信号を対応の信号入出力端子を介して対応のチューナに与えるミキサ回路を備える、受信装置。
【請求項２】
前記ローカル発振回路は複数設けられ、各ローカル発振回路は他のローカル発振回路と異なる周波数の高周波信号を発生し、
前記制御回路は、前記選択信号に従って、対応の複数の増幅回路のうちのいずれか１つの増幅回路を活性化させるとともに、対応の複数のローカル発振回路のうちのいずれか１つのローカル発振回路を活性化させ、
前記ミキサ回路は、対応の制御回路によって活性化された増幅回路によって増幅された偏波信号と、対応の制御回路によって活性化されたローカル発振回路で発生された高周波信号とを混合して前記中間周波信号を生成する、請求項１に記載の受信装置。
【請求項３】
前記複数の増幅回路の各々は、直列接続された複数段の低雑音増幅器を含む、請求項１または請求項２に記載の受信装置。
【請求項４】
さらに、各チューナに対応して設けられ、対応の複数の増幅回路と対応のミキサ回路との間に設けられ、他のチューナに対応するローカル発振回路で発生された高周波信号が対応のミキサ回路に流入するのを防止する誘電体フィルタを備える、請求項１から請求項３までのいずれかに記載の受信装置。
【請求項５】
受信した電波から抽出した映像信号をチューナに与える受信装置であって、
前記チューナに接続される信号入出力端子、
それらのアノードがそれぞれ前記電波に含まれる複数の偏波信号を受け、それらのカソードが互いに接続された複数のダイオード素子、
高周波信号を発生するローカル発振回路、
前記チューナから前記信号入出力端子を介して与えられる選択信号に従って、前記複数のダイオード素子のうちのいずれか１つのダイオード素子を導通させる制御回路、および
前記制御回路によって導通状態にされたダイオード素子を通過した偏波信号と、前記ローカル発振回路で発生された高周波信号とを混合して中間周波信号を生成し、その中間周波信号を前記信号入出力端子を介して前記チューナに与えるミキサ回路を備える、受信装置。
【請求項６】
前記ローカル発振回路は複数設けられ、各ローカル発振回路は他のローカル発振回路と異なる周波数の高周波信号を発生し、
前記制御回路は、前記選択信号に従って、対応の複数のダイオード素子のうちのいずれか１つのダイオード素子を導通させるとともに、対応の複数のローカル発振回路のうちのいずれか１つのローカル発振回路を活性化させ、
前記ミキサ回路は、対応の制御回路によって導通状態にされたダイオード素子を通過した偏波信号と、対応の制御回路によって活性化されたローカル発振回路で発生された高周波信号とを混合して前記中間周波信号を生成する、請求項５に記載の受信装置。
【請求項７】
さらに、それぞれ前記複数のダイオード素子に対応して設けられ、各々が対応のダイオード素子と直列接続された複数の増幅回路を備え、
前記制御回路は、選択信号に従って、前記複数のダイオード素子のうちのいずれか１つのダイオード素子を導通させるとともに、導通させたダイオード素子に対応する増幅回路を活性化させる、請求項５または請求項６に記載の受信装置。
【請求項８】
前記複数の増幅回路の各々は、直列接続された複数段の低雑音増幅器を含む、請求項７に記載の受信装置。
【請求項９】
前記チューナ、前記信号入出力端子、前記複数のダイオード素子、前記ローカル発振回路、前記制御回路、および前記ミキサ回路は複数組設けられている、請求項５から請求項８までのいずれかに記載の受信装置。
【請求項１０】
さらに、各組において前記複数のダイオード素子と前記ミキサ回路との間に設けられ、他の組のローカル発振回路で発生された高周波信号が前記ミキサ回路に流入するのを防止する誘電体フィルタを備える、請求項９に記載の受信装置。
【発明の詳細な説明】
【技術分野】
【０００１】
この発明は受信装置に関し、特に、受信した電波から抽出した映像信号をチューナに与える受信装置に関する。
【背景技術】
【０００２】
従来より、ＢＳアンテナやＣＳアンテナの先端にはＬＮＢ（Low Noise Block down converter）が設けられている。図２４は、従来の２出力タイプのＬＮＢ（Low Noise Block down converter）の信号処理回路の構成を示す回路ブロック図である。図２４において、フィードホーン７０で受信された水平偏波信号φＨおよび垂直偏波信号φＶは、それぞれＬＮＡ（Low Noise Amplifier）部７１ａ，７１ｂに入力される。ＬＮＡ部７１ａ，７１ｂの各々は、直列接続された２段のＬＮＡ７２を含む。信号φＨはＬＮＡ部７１ａで低雑音増幅されてバンドパスフィルタ７３ａ，７４ａに与えられ、信号φＶはＬＮＡ部７１ｂで低雑音増幅されてバンドパスフィルタ７３ｂ，７４ｂに与えられる。信号φＨ，φＶの周波数帯域は、１０．７〜１２．７５ＧＨｚである。バンドパスフィルタ７３ａ，７３ｂは、それぞれ信号φＨ，φＶのうちの１０．７〜１１．７ＧＨｚの周波数成分のみを通過させる。バンドパスフィルタ７４ａ，７４ｂは、それぞれ信号φＨ，φＶのうちの１１．７〜１２．７５ＧＨｚの周波数成分のみを通過させる。
【０００３】
バンドパスフィルタ７３ａ，７３ｂ，７４ａ，７４ｂを通過した信号は、それぞれミキサ回路７５ａ，７５ｂ，７６ａ，７６ｂに与えられる。ローカル発振回路７７は、９．７５ＧＨｚの高周波信号を生成してミキサ回路７５ａ，７５ｂに与える。ローカル発振回路７８は、１０．６ＧＨｚの高周波信号を生成してミキサ回路７６ａ，７６ｂに与える。バンドパスフィルタ７３ａ，７３ｂを通過した信号は、それぞれミキサ回路７５ａ，７５ｂによって９５０〜１９５０ＭＨｚのＩＦ信号に変換される。バンドパスフィルタ７４ａ，７４ｂを通過した信号は、それぞれミキサ回路７６ａ，７６ｂによって１０００〜２１５０ＭＨｚのＩＦ信号に変換される。
【０００４】
切換回路７９は、制御回路８７によって制御され、ミキサ回路７５ａ，７５ｂ，７６ａ，７６ｂで生成された４つのＩＦ信号のうちのいずれかのＩＦ信号を選択し、そのＩＦ信号をＩＦアンプ８０ａに与えるとともに、４つのＩＦ信号のうちのいずれかのＩＦ信号を選択し、そのＩＦ信号をＩＦアンプ８０ｂに与える。切換回路７９は、スイッチングＩＣにより構成されている。
【０００５】
ＩＦアンプ８０ａは、切換回路７９からのＩＦ信号を増幅し、結合コンデンサ８２ａを介して信号入出力端子８３ａに与える。ＩＦアンプ８０ｂは、切換回路７９からのＩＦ信号を増幅し、結合コンデンサ８２ｂを介して信号入出力端子８３ｂに与える。ＩＦアンプ８０ａ，８０ｂの各々は、直列接続された２段のＬＮＡ８１を含む。
【０００６】
信号入出力端子８３ａ，８３ｂの各々には、対応のチューナから直流および交流電圧信号が与えられる。電源回路８６は、信号入出力端子８３ａ，８３ｂからコイル８４ａ，８４ｂおよびダイオード８５ａ，８５ｂを介して与えられた直流および交流電圧信号に基づいて電源電圧を生成し、生成した電源電圧を信号処理回路全体に与える。制御回路８７は、信号入出力端子８３ａ，８３からコイル８４ａ，８４ｂを介して与えられた直流および交流電圧信号に基づいて切換回路７９を制御する。
【０００７】
このようにして、水平偏波信号φＨのうちのローバンドの信号、水平偏波信号φＨのうちのハイバンドの信号、垂直偏波信号φＶのうちのローバンドの信号、垂直偏波信号φＶのうちのハイバンドの信号のうちのいずれか１つの信号が、信号入出力端子８３ａ，８３ｂの各々に対応して選択され、対応の信号入出力端子を介してチューナに与えられ、その信号に応じた画像がテレビ受像機に表示される（たとえば特許文献１参照）。
【特許文献１】特開２００２−２１８３２９号公報
【発明の開示】
【発明が解決しようとする課題】
【０００８】
しかし、従来のＬＮＢでは、切換回路７９を構成するスイッチングＩＣの価格が高いので、コスト高になるという問題があった。
【０００９】
それゆえに、この発明の主たる目的は、低価格の受信装置を提供することである。
【課題を解決するための手段】
【００１０】
この発明に係る受信装置は、受信した電波から抽出した映像信号を複数のチューナに与える受信装置であって、各チューナに対応して設けられ、対応のチューナに接続される信号入出力端子と、各チューナに対応して設けられ、電波に含まれる複数の偏波信号をそれぞれ増幅する複数の増幅回路と、各チューナに対応して設けられ、高周波信号を発生するローカル発振回路と、各チューナに対応して設けられ、対応のチューナから対応の信号入出力端子を介して与えられる選択信号に従って、対応の複数の増幅回路のうちのいずれか１つの増幅回路を活性化させる制御回路と、各チューナに対応して設けられ、対応の制御回路によって活性化された増幅回路によって増幅された偏波信号と、対応のローカル発振回路で発生された高周波信号とを混合して中間周波信号を生成し、その中間周波信号を対応の信号入出力端子を介して対応のチューナに与えるミキサ回路とを備えたものである。
【００１１】
また、この発明に係る他の受信装置は、受信した電波から抽出した映像信号をチューナに与える受信装置であって、チューナに接続される信号入出力端子と、それらのアノードがそれぞれ電波に含まれる複数の偏波信号を受け、それらのカソードが互いに接続された複数のダイオード素子と、高周波信号を発生するローカル発振回路と、チューナから信号入出力端子を介して与えられる選択信号に従って、複数のダイオード素子のうちのいずれか１つのダイオード素子を導通させる制御回路と、制御回路によって導通状態にされたダイオード素子を通過した偏波信号と、ローカル発振回路で発生された高周波信号とを混合して中間周波信号を生成し、その中間周波信号を前記信号入出力端子を介してチューナに与えるミキサ回路とを備えたものである。
【発明の効果】
【００１２】
この発明に係る受信装置では、各チューナに対して、それぞれ複数の偏波信号を増幅する複数の増幅回路を設け、複数の増幅回路のうちのいずれか１つの増幅回路を活性化させ、活性化された増幅回路によって増幅された偏波信号と、ローカル発振回路で発生された高周波信号とを混合して中間周波信号を生成する。したがって、スイッチングＩＣを設ける必要が無いので、装置価格の低減化を図ることができる。
【００１３】
また、この発明に係る他の受信装置は、それらのアノードがそれぞれ電波に含まれる複数の偏波信号を受け、それらのカソードが互いに接続された複数のダイオード素子を設け、複数のダイオード素子のうちのいずれか１つのダイオード素子を導通させ、導通状態にされたダイオード素子を通過した偏波信号と、ローカル発振回路で発生された高周波信号とを混合して中間周波信号を生成する。したがって、スイッチングＩＣを設ける必要が無いので、装置価格の低減化を図ることができる。
【発明を実施するための最良の形態】
【００１４】
[実施の形態１]
図１は、この発明の実施の形態１による衛星放送システムの受信部の構成を示すブロック図である。図１において、この衛星放送システムの受信部は、反射器１およびＬＮＢ２を含むアンテナ３と、レシーバ４ａ，４ｂと、テレビ受像機５ａ，５ｂとを備える。レシーバ４ａは、図２に示すように、ＤＢＳ（Direct Broadcasting by Satellite）チューナ６、ＦＭ復調器７、ビデオ＋オーディオ回路８および増幅器９を含む。レシーバ４ｂも、レシーバ４ａと同じ構成である。
【００１５】
衛星から出射された電波αは、反射器１を介してＬＮＢ２に入射される。ＬＮＢ２は、受信した電波αから複数チャンネルの映像信号を抽出するとともに低雑音増幅し、レシーバ４ａ，４ｂのＤＢＳチューナ６によって選択されたチャンネルの映像信号をそれぞれレシーバ４ａ，４ｂのＤＢＳチューナ６に与える。ＬＮＢ２の出力信号は、レシーバ４ａ，４ｂの各々において、ＤＢＳチューナ６を介してＦＭ復調器７に与えられ、ＦＭ復調器７でＦＭ復調される。
【００１６】
ＦＭ復調された映像信号は、ビデオ＋オーディオ回路８によってビデオ信号およびオーディオ信号に変換され、増幅器９で増幅されて対応のテレビ受像機５ａまたは５ｂに与えられる。テレビ受像機５ａ，５ｂの画面には、それぞれ、レシーバ４ａ，４ｂのＤＢＳチューナ６によって選択されたチャンネルの映像が表示される。
【００１７】
図３は、図１に示したＬＮＢ２の外観構成を示す斜視図である。図３において、このＬＮＢ２は、ケース部材１０と、その表面に設けられたフィードホーン１１および２つの信号入出力端子１２ａ，１２ｂとを備える。フィードホーン１１の開口部１１ａには、アンテナ３の反射器１で反射された電波αが入射される。ケース部材１０内には、フィードホーン１１に入射された電波αを処理するための信号処理回路が収納されている。このＬＮＢ２は、２台のレシーバ４ａ，４ｂのＤＢＳチューナ６で共用される。２つの信号入出力端子１２ａ，１２ｂの各々は、ケーブルを介してＤＢＳチューナ６に接続される。
【００１８】
図４は、ＬＮＢ２の信号処理回路の構成を示す回路ブロック図である。図４において、この信号処理回路は、ＬＮＡ部１５ａ，１５ｂ、ＬＮＡ1７ａ，１７ｂ，１８ａ，１８ｂ、バンドパスフィルタ１９ａ，１９ｂ、ミキサ回路２０ａ，２０ｂ、ローカル発振回路２１ａ，２１ｂ，２２ａ，２２ｂ、制御回路２３ａ，２３ｂ、ＩＦアンプ２４ａ，２４ｂ、結合コンデンサ２６ａ，２６ｂ、電源回路２７ａ，２７ｂ、およびダイオード２８ａ，２８ｂを備える。
【００１９】
フィードホーン１１で受信された水平偏波信号φＨおよび垂直偏波信号φＶは、それぞれＬＮＡ部１５ａ，１５ｂに入力される。信号φＨ，φＶの周波数帯域は、１０．７〜１２．７５ＧＨｚである。ＬＮＡ部１５ａ，１５ｂの各々は、直列接続された２段のＬＮＡ１６を含む。信号φＨはＬＮＡ部１５ａで低雑音増幅されてＬＮＡ1７ａ，１７ｂに与えられ、信号φＶはＬＮＡ部１５ｂで低雑音増幅されてＬＮＡ１８ａ，１８ｂに与えられる。
【００２０】
ＬＮＡ1７ａ，１８ａのうちのいずれか一方のＬＮＡが制御回路２３ａによって選択的に活性化され、活性化されたＬＮＡによって低雑音増幅された信号φＨまたはφＶはバンドパスフィルタ１９ａに与えられる。バンドパスフィルタ１９ａは、ＬＮＡ1７ａまたは１８ａから与えられた信号φＨまたはφＶのうちの１０．７〜１２．７５ＧＨｚの周波数成分のみを通過させる。ＬＮＡ1７ｂ，１８ｂのうちのいずれか一方のＬＮＡが制御回路２３ｂによって選択的に活性化され、活性化されたＬＮＡによって低雑音増幅された信号φＨまたはφＶはバンドパスフィルタ１９ｂに与えられる。バンドパスフィルタ１９ｂは、ＬＮＡ1７ｂまたは１８ｂから与えられた信号φＨまたはφＶのうちの１０．７〜１２．７５ＧＨｚの周波数成分のみを通過させる。
【００２１】
バンドパスフィルタ１９ａ，１９ｂを通過した信号は、それぞれミキサ回路２０ａ，２０ｂに与えられる。ローカル発振回路２１ａは９．７５ＧＨｚの高周波信号を生成し、ローカル発振回路２２ａは１０．６ＧＨｚの高周波信号を生成する。ローカル発振回路２１ａ，２２ａのうちのいずれか一方のローカル発振回路が制御回路２３ａによって選択的に活性化され、活性化されたローカル発振回路によって生成された９．７５ＧＨｚまたは１０．６ＧＨｚの高周波信号がミキサ回路２０ａに与えられる。バンドパスフィルタ１９ａを通過した信号φＨまたはφＶのうちのローバンドの信号は、ミキサ回路２０ａにおいて９．７５ＧＨｚの高周波信号と混合され、９５０〜１９５０ＭＨｚの中間周波信号にダウンコンバートされる。バンドパスフィルタ１９ａを通過した信号φＨまたはφＶのうちのハイバンドの信号は、ミキサ回路２０ａにおいて１０．６ＧＨｚの高周波信号と混合され、１１５０〜２１５０ＭＨｚの中間周波信号にダウンコンバートされる。
【００２２】
ローカル発振回路２１ｂは９．７５ＧＨｚの高周波信号を生成し、ローカル発振回路２２ｂは１０．６ＧＨｚの高周波信号を生成する。ローカル発振回路２１ｂ，２２ｂのうちのいずれか一方のローカル発振回路が制御回路２３ｂによって選択的に活性化され、活性化されたローカル発振回路によって生成された９．７５ＧＨｚまたは１０．６ＧＨｚの高周波信号がミキサ回路２０ｂに与えられる。バンドパスフィルタ１９ｂを通過した信号φＨまたはφＶのうちのローバンドの信号は、ミキサ回路２０ｂにおいて９．７５ＧＨｚの高周波信号と混合され、９５０〜１９５０ＭＨｚの中間周波信号にダウンコンバートされる。バンドパスフィルタ１９ｂを通過した信号φＨまたはφＶのうちのハイバンドの信号は、ミキサ回路２０ｂにおいて１０．６ＧＨｚの高周波信号と混合され、１１５０〜２１５０ＭＨｚの中間周波信号にダウンコンバートされる。
【００２３】
ミキサ回路２０ａ，２０ｂの出力信号は、それぞれＩＦアンプ２４ａ，２４ｂに与えられる。ＩＦアンプ２４ａ，２４ｂは、それぞれミキサ回路２０ａ，２０ｂの出力信号を増幅する。ＩＦアンプ２４ａ，２４ｂの各々は、直列接続された２段のＬＮＡ２５を含む。ＩＦアンプ２４ａの出力信号は結合コンデンサ２６ａを介して信号入出力端子１２ａに与えられ、ＩＦアンプ２４ｂの出力信号は結合コンデンサ２６ｂを介して信号入出力端子１２ｂに与えられる。
【００２４】
電源回路２７ａは、レシーバ４ａのＤＢＳチューナ６から信号入出力端子１２ａを介して与えられる直流および交流電圧信号に基づいて電源電圧を生成し、生成した電源電圧を逆流防止用のダイオード２８ａを介してＬＮＡ部１５ａ，１５ｂに与えるとともに、その電源電圧を信号入力端子１２ａに対応するＩＦアンプ２４ａ、制御回路２３ａなどに与える。電源回路２７ｂは、レシーバ４ｂのＤＢＳチューナ６から信号入出力端子１２ｂを介して与えられる直流および交流電圧信号に基づいて電源電圧を生成し、生成した電源電圧を逆流防止用のダイオード２８ｂを介してＬＮＡ部１５ａ，１５ｂに与えるとともに、その電源電圧を信号入力端子１２ｂに対応するＩＦアンプ２４ｂ、制御回路２３ｂなどに与える。
【００２５】
制御回路２３ａは、レシーバ４ａのＤＢＳチューナ６から信号入出力端子１２ａを介して与えられる直流および交流電圧信号（選択信号）に基づいて、ＬＮＡ1７ａ，１８ａのうちのいずれか一方のＬＮＡと、ローカル発振回路２１ａ，２２ａのうちのいずれか一方のローカル発振回路とを活性化させる。これにより、水平偏波信号φＨのうちのローバンドの信号、水平偏波信号φＨのうちのハイバンドの信号、垂直偏波信号φＶのうちのローバンドの信号、垂直偏波信号φＶのうちのハイバンドの信号のうちのいずれか１つの信号が、信号入出力端子１２ａを介してレシーバ４ａのＤＢＳチューナ６に与えられ、その信号に応じた画像がテレビ受像機５ａに表示される。
【００２６】
制御回路２３ｂは、レシーバ４ｂのＤＢＳチューナ６から信号入出力端子１２ｂを介して与えられる直流および交流電圧信号（選択信号）に基づいて、ＬＮＡ1７ｂ，１８ｂのうちのいずれか一方のＬＮＡと、ローカル発振回路２１ｂ，２２ｂのうちのいずれか一方のローカル発振回路とを活性化させる。これにより、水平偏波信号φＨのうちのローバンドの信号、水平偏波信号φＨのうちのハイバンドの信号、垂直偏波信号φＶのうちのローバンドの信号、垂直偏波信号φＶのうちのハイバンドの信号のうちのいずれか１つの信号が、信号入出力端子１２ｂを介してレシーバ４ｂのＤＢＳチューナ６に与えられ、その信号に応じた画像がテレビ受像機５ｂに表示される。
【００２７】
この実施の形態１では、２つのＬＮＡのうちのいずれか一方のＬＮＡと、２つのローカル発振回路のうちのいずれか一方のローカル発振回路とを活性化させることにより、４つの信号のうちのいずれか１つの信号を選択するので、スイッチングＩＣによって信号を選択していた従来に比べ、装置価格の低減化を図ることができる。
【００２８】
図５は、この実施の形態１の変更例を示す図であって、図４と対比される図である。図５の信号処理回路は、図４の信号処理回路のＬＮＡ部１５ａ，１５ｂをそれぞれＬＮＡ部３０ａ，３０ｂで置換したものである。ＬＮＡ部３０ａ，３０ｂの各々は、直列接続された３段のＬＮＡ１６を含む。この変更例では、ＬＮＡ部３０ａ，３０ｂの各々を３段のＬＮＡ１６で構成したので、より良好な低雑音増幅特性を得ることができる。
【００２９】
また図６は、この実施の形態１の他の変更例を示す図であって、図４と対比される図である。図６の信号処理回路は、図４の信号処理回路のＬＮＡ１７ａ，１7ｂ，１８ａ，１８ｂをそれぞれＬＮＡ部３１ａ，３１ｂ，３２ａ，３２ｂで置換したものである。ＬＮＡ部３１ａ，３１ｂ，３２ａ，３２ｂの各々は、直列接続された２段のＬＮＡ３３を含む。この変更例では、ＬＮＡ部３１ａ，３１ｂ，３２ａ，３２ｂの各々を２段のＬＮＡ３３で構成したので、より良好な低雑音増幅特性を得ることができる。
【００３０】
[実施の形態２]
図４の信号処理回路において、ローカル発振回路２１ａ，２２ａから選択されたローカル発振回路（たとえば２１ａ）の周波数と、ローカル発振回路２１ｂ，２２ｂから選択されたローカル発振回路（たとえば２２ｂ）の周波数とが異なる場合に、ローカル発振回路（この場合２１ａ，２２ｂ）の出力信号が伝送線路や空間を通ってそれぞれミキサ回路２０ｂ，２０ａに入力されるときがある。このとき、ミキサ回路２０ｂ，２０ａの各々から８５０ＭＨｚの中間周波信号が出力され、後段のＩＦアンプ２４ａ，２４ｂの各々で１７００ＭＨｚの相互妨害変調波が発生する。この相互妨害変調波は中間周波信号帯域内で発生するので、相互妨害変調波を除去する必要がある。バンドパスフィルタ１９ａ，１９ｂの各々は、マイクロストリップ線路で構成したものであり、１０．７〜１２．７５ＧＨｚの透過帯域を有するが、１０．６ＧＨｚの信号をほとんど減衰させることができない。この実施の形態１では、この問題が解決される。
【００３１】
図７は、この発明の実施の形態２によるＬＮＢの信号処理回路の構成を示す回路ブロック図であって、図４と対比される図である。図７の信号処理回路は、図４の信号処理回路に誘電体フィルタ４０ａ，４０ｂを追加したものである。誘電体フィルタ４０ａはバンドパスフィルタ１９ａとミキサ回路２０ａとの間に設けられ、誘電体フィルタ４０ｂはバンドパスフィルタ１９ｂとミキサ回路２０ｂとの間に設けられる。
【００３２】
誘電体フィルタ４０ａ，４０ｂの各々は、非常に急峻な減衰特性を有する帯域除去フィルタであり、１０．６ＧＨｚの高周波信号を減衰させるものである。これにより、ミキサ回路２０ａ，２０ｂの各々の入力ノード側の線路に流入した１０．６ＧＨｚの高周波信号を減衰させることができ、相互妨害変調波の発生を防止することができる。
【００３３】
図８（ａ）は誘電体フィルタ４０ａの構成を示す図、図８(ｂ)は図８(ａ)のＶＩＩＩＢ−ＶＩＩＩＢ線断面図である。誘電体フィルタ４０ａは、マイクロストリップ線路４１の横に配置された円柱状の誘電体共振器４２と、誘電体共振器４２を収納した筐体４３とを含む。筐体４３のマイクロストリップ線路４１に面する側は開口されている。図９に示すように、誘電体共振器４２を円筒状または円柱状の支持台４４の上に搭載しても良い。また図１０（ａ）（ｂ）に示すように、誘電体共振器４２の代わりに円筒状の誘電体共振器４５を用いても良い。また図１１に示すように、誘電体共振器４５を円筒状または円柱状の支持台４６の上に搭載しても良い。
【００３４】
図１２は、この実施の形態２の変更例を示す図であって、図７と対比される図である。図１２の信号処理回路は、図７の信号処理回路のＬＮＡ部１５ａ，１５ｂをそれぞれＬＮＡ部３０ａ，３０ｂで置換したものである。ＬＮＡ部３０ａ，３０ｂの各々は、直列接続された３段のＬＮＡ１６を含む。この変更例では、ＬＮＡ部３０ａ，３０ｂの各々を３段のＬＮＡ１６で構成したので、より良好な低雑音増幅特性を得ることができる。
【００３５】
なお、図７の信号処理回路のＬＮＡ１７ａ，１7ｂ，１８ａ，１８ｂをそれぞれ図６のＬＮＡ部３１ａ，３１ｂ，３２ａ，３２ｂで置換すれば、より良好な低雑音増幅特性を得ることができることは言うまでもない。
【００３６】
[実施の形態３]
図１３は、この発明の実施の形態３によるＬＮＢの信号処理回路の構成を示す回路ブロック図であって、図１２と対比される図である。図１３の信号処理回路は、図１２の信号処理回路のＬＮＡ１７ａ，１７ｂ，１８ａ，１８ｂをそれぞれスイッチング回路５０ａ，５０ｂ，５１ａ，５１ｂで置換したものである。スイッチング回路５０ａ，５０ｂ，５１ａ，５１ｂの各々は、直列接続された２つのダイオード５２を含む。スイッチング回路５０ａ，５１ａのうちのいずれか一方のスイッチング回路が制御回路２３ａによって選択的にオンされ、スイッチング回路５０ｂ，５１ｂのうちのいずれか一方のスイッチング回路が制御回路２３ｂによって選択的にオンされる。
【００３７】
具体的に説明すると、図１４に示すように、ＬＮＡ部３０ａの出力ノードとスイッチング回路５０ａ，５０ｂの間にそれぞれコンデンサ５３ａ，５３ｂが接続され、ＬＮＡ部３０ｂの出力ノードとスイッチング回路５１ａ，５１ｂの間にそれぞれコンデンサ５４ａ，５４ｂが接続される。スイッチング回路５０ａ，５１ａの初段のダイオード５２のアノードと制御回路２３ａの間にそれぞれオープンスタブ５５ａ，５６ａが設けられる。スイッチング回路５０ｂ，５１ｂの初段のダイオード５２のアノードと制御回路２３ｂの間にそれぞれオープンスタブ５５ｂ，５６ｂが設けられる。スイッチング回路５０ａ，５１ａの２段目ののダイオード５２のカソードと接地電位ＧＮＤのラインとの間にオープンスタブ５７ａおよび抵抗素子５８ａが直列接続される。スイッチング回路５０ｂ，５１ｂの２段目のダイオード５２のカソードと接地電位ＧＮＤのラインとの間にオープンスタブ５７ｂおよび抵抗素子５８ｂが直列接続される。オープンスタブ５５ａ，５５ｂ，５６ａ，５６ｂ，５７ａ，５７ｂの各々は、直流電流を流すとともに、高周波電流を遮断する。
【００３８】
制御回路２３ａは、たとえばスイッチング回路５０ａをオンさせるとともにスイッチング回路５１ａをオフさせる場合は、オープンスタブ５５ａを介してスイッチング回路５０ａの初段のダイオード５２のアノードに２Ｖを印加するとともに、オープンスタブ５６ａを介してスイッチング回路５１ａの初段のダイオード５２のアノードに０Ｖを印加する。これにより、制御回路２３ａ、オープンスタブ５５ａ、スイッチング回路５０ａ、オープンスタブ５７ａ、抵抗素子５８ａおよび接地電位ＧＮＤのラインの経路に直流電流が流れ、スイッチング回路５０ａがオンする。一方、スイッチング回路５１ａには電流は流れず、スイッチング回路５１ａはオフする。したがって、水平偏波信号φＨおよび垂直偏波信号φＶのうちの信号φＨのみがフィルタ１９ａ，４０ａを介してミキサ回路２０ａに入力される。
【００３９】
制御回路２３ｂは、たとえばスイッチング回路５１ｂをオンさせるとともにスイッチング回路５０ｂをオフさせる場合は、オープンスタブ５６ｂを介してスイッチング回路５１ｂの初段のダイオード５２のアノードに２Ｖを印加するとともに、オープンスタブ５５ｂ
介してスイッチング回路５０ｂの初段のダイオード５２のアノードに０Ｖを印加する。これにより、制御回路２３ｂ、オープンスタブ５６ｂ、スイッチング回路５１ｂ、オープンスタブ５７ｂ、抵抗素子５８ｂおよび接地電位ＧＮＤのラインの経路に直流電流が流れ、スイッチング回路５１ｂがオンする。一方、スイッチング回路５０ｂには電流は流れず、スイッチング回路５０ｂはオフする。したがって、水平偏波信号φＨおよび垂直偏波信号φＶのうちの信号φＶのみがフィルタ１９ｂ，４０ｂを介してミキサ回路２０ｂに入力される。
【００４０】
この実施の形態３では、２つのスイッチング回路のうちのいずれか一方のスイッチング回路をオンさせるとともに、２つのローカル発振回路のうちのいずれか一方のローカル発振回路とを活性化させることにより、４つの信号のうちのいずれか１つの信号を選択するので、スイッチングＩＣによって信号を選択していた従来に比べ、装置価格の低減化を図ることができる。
【００４１】
なお、図１５に示すように、図１３の信号処理回路から誘電体フィルタ４０ａ，４０ｂを除去すれば、構成の簡単化を図ることができる。
【００４２】
また、図４〜図１２で示した信号処理回路にスイッチング回路５０ａ，５０ｂ，５１ａ，５１ｂを追加してもよい。図１６の信号処理回路は、図４の信号処理回路にスイッチング回路５０ａ，５０ｂ，５１ａ，５１ｂを追加したものである。スイッチング回路５０ａ，５０ｂ，５１ａ，５１ｂは、それぞれＬＮＡ１７ａ，１７ｂ，１８ａ，１８ｂに直列接続される。制御回路２３ａは、水平偏波信号φＨを選択する場合はスイッチング回路５０ａを導通させるとともにＬＮＡ１７ａを活性化させ、垂直偏波信号φＶを選択する場合はスイッチング回路５１ａを導通させるとともにＬＮＡ1８ａを活性化させる。制御回路２３ｂは、水平偏波信号φＨを選択する場合はスイッチング回路５０ｂを導通させるとともにＬＮＡ１７ｂを活性化させ、垂直偏波信号φＶを選択する場合はスイッチング回路５１ｂを導通させるとともにＬＮＡ1８ｂを活性化させる。この場合でも、スイッチングＩＣを使用しないので、装置価格の低減化を図ることができる。
【００４３】
また、図１７に示すように、図１６の信号処理回路に誘電体フィルタ４０ａ，４０ｂを追加してもよい。これにより、ミキサ回路２０ａ，２０ｂの各々の入力ノード側の線路に流入した１０．６ＧＨｚの高周波信号を減衰させることができ、相互妨害変調波の発生を防止することができる。
【００４４】
また、図４〜図１６で示した信号処理回路からローカル発振回路２２ａ，２２ｂを除去してもよい。図１８〜図２３の信号処理回路は、それぞれ図４、図５、図１２、図１６、図１５、図１３の信号処理回路からローカル発振回路２２ａ，２２ｂを除去したものである。この場合は、チャンネル数が半減するが、ローカル発振回路２２ａ，２２ｂの分だけ消費電力の低減化と回路規模の縮小化を図ることができる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】この発明の実施の形態１による衛星放送システムの受信部の構成を示すブロック図である。
【図２】図１に示したレシーバの構成を示すブロック図である。
【図３】図１に示したＬＮＢの外観構成を示す斜視図である。
【図４】図３に示したＬＮＢに含まれる信号処理回路の構成を示す回路ブロック図である。
【図５】実施の形態１の変更例を示す回路ブロック図である。
【図６】実施の形態１の他の変更例を示す回路ブロック図である。
【図７】この発明の実施の形態２によるＬＮＢに含まれる信号処理回路の構成を示す回路ブロック図である。
【図８】図７に示した誘電体フィルタの構成を例示する図である。
【図９】図７に示した誘電体フィルタの構成を例示する他の図である。
【図１０】図７に示した誘電体フィルタの構成を例示するさらに他の図である。
【図１１】図７に示した誘電体フィルタの構成を例示するさらに他の図である。
【図１２】実施の形態２の変更例を示す回路ブロック図である。
【図１３】この発明の実施の形態３によるＬＮＢに含まれる信号処理回路の構成を示す回路ブロック図である。
【図１４】図１３に示した信号処理回路の構成を詳細に示す回路ブロック図である。
【図１５】実施の形態３の変更例を示す回路ブロック図である。
【図１６】実施の形態３の他の変更例を示す回路ブロック図である。
【図１７】実施の形態３のさらに他の変更例を示す回路ブロック図である。
【図１８】実施の形態１〜３の変更例を示す回路ブロック図である。
【図１９】実施の形態１〜３の他の変更例を示す回路ブロック図である。
【図２０】実施の形態１〜３のさらに他の変更例を示す回路ブロック図である。
【図２１】実施の形態１〜３のさらに他の変更例を示す回路ブロック図である。
【図２２】実施の形態１〜３のさらに他の変更例を示す回路ブロック図である。
【図２３】実施の形態１〜３のさらに他の変更例を示す回路ブロック図である。
【図２４】従来のＬＮＢに含まれる信号処理回路の構成を示す回路ブロック図である。
【符号の説明】
【００４７】
１  反射器、２  ＬＮＢ、３  アンテナ、４ａ，４ｂ  レシーバ、５ａ，５ｂ  テレビ受像機、６  ＤＢＳチューナ、７  ＦＭ復調器、８  ビデオ＋オーディオ回路、９  増幅器、１０  ケース部材、１１  フィードホーン、１１ａ  開口部、１２ａ，１２ｂ，８３ａ，８３ｂ  信号入出力端子、１５ａ，１５ｂ，３０ａ，３０ｂ，３１ａ，３１ｂ，３２ａ，３２ｂ  ＬＮＡ部、１６，１７ａ，１７ｂ，１８ａ，１８ｂ，２５，３３  ＬＮＡ、１９ａ，１９ｂ，７３ａ，７３ｂ，７４ａ，７４ｂ  バンドパスフィルタ、２０ａ，２０ｂ，７５ａ，７５ｂ，７６ａ，７６ｂ  ミキサ回路、２１ａ，２１ｂ，２２ａ，２２ｂ，７７，７８  ローカル発振回路、２３ａ，２３ｂ，８７  制御回路、２４ａ，２４ｂ，８０ａ，８０ｂ  ＩＦアンプ、２６ａ，２６ｂ，８２ａ，８２ｂ  結合コンデンサ、２７ａ，２７ｂ，８６  電源回路、２８ａ，２８ｂ，８５ａ，８５ｂ，５２  ダイオード、４０ａ，４０ｂ  誘電体フィルタ、４１  マイクロストリップ線路、４２，４５  誘電体共振器、４３  筐体、４４，４６  支持台、５０ａ，５０ｂ，５１ａ，５１ｂ  スイッチング回路、５３ａ，５３ｂ，５４ａ，５４ｂ  コンデンサ、５５ａ，５５ｂ，５６ａ，５６ｂ５７ａ，５７ｂ  オープンスタブ、５８ａ，５８ｂ  抵抗素子、７９  切換回路、８４ａ，８４ｂ  コイル。
【図１】
2005303962.tif 000003
【図２】
2005303962.tif 000004
【図３】
2005303962.tif 000005
【図４】
2005303962.tif 000006
【図５】
2005303962.tif 000007
【図６】
2005303962.tif 000008
【図７】
2005303962.tif 000009
【図８】
2005303962.tif 000010
【図９】
2005303962.tif 000011
【図１０】
2005303962.tif 000012
【図１１】
2005303962.tif 000013
【図１２】
2005303962.tif 000014
【図１３】
2005303962.tif 000015
【図１４】
2005303962.tif 000016
【図１５】
2005303962.tif 000017
【図１６】
2005303962.tif 000018
【図１７】
2005303962.tif 000019
【図１８】
2005303962.tif 000020
【図１９】
2005303962.tif 000021
【図２０】
2005303962.tif 000022
【図２１】
2005303962.tif 000023
【図２２】
2005303962.tif 000024
【図２３】
2005303962.tif 000025
【図２４】
2005303962.tif 000026